【事件の表示】
　特許第２９２０６２８号「パチンコ機」の請求項１、２に係る特許に対する特許異議の申立てについて、次のとおり決定する。
【結　論】
　訂正を認める。
　特許第２９２０６２８号の請求項１に係る特許を取り消す。
【理　由】
１．手続の経緯
　本件特許第２９２０６２８号の請求項１に係る発明は、平成２年１２月２８日に実用新案登録出願された実願平２−４０５２１９号を平成６年１２月１５日に特許出願に変更した特願平６−３３２７９５号を平成７年３月２日に分割した特願平７−６６６８０号を平成８年１２月１６日に分割した特願平８−３３５８２９号を平成１０年４月６日に分割した特願平１０−９３６７０号に係り、平成１１年４月３０日に設定登録され、その後、細江裕実より特許異議の申立てがなされ、平成１２年７月４日付けで取消理由通知がなされ、その指定期間内である平成１２年９月１２日に訂正請求がなされ、ついで再度平成１２年１２月２５日付けで取消理由通知がなされ、その指定期間内である平成１３年４月２４日に訂正請求がなされたものである。
　　　　
２．訂正の適否についての判断
　（１）訂正の内容
　平成１２年９月１２日付けの訂正請求書は取下げられ、平成１３年４月２４日付けの訂正請求書の内容は、以下のとおりである。
　i．訂正事項ａ
　特許請求の範囲の請求項１の記載を、
　「パチンコ機本体の背面側に、賞球制御装置により賞球を払い出すパチンコ機本体側の制御を行う本体制御回路と、該本体制御回路と信号線によって接続され、各入賞口に対応した賞球数を表す賞球数信号を発生する遊技盤側の制御を行う遊技制御回路とを備え、前記遊技制御回路から出力する遊技盤側の情報を中継する遊技盤側データ出力端子を機構枠体に開設した開口窓に臨む中継基板に設けるとともに、前記本体制御回路から出力するパチンコ機本体側の情報を中継するパチンコ機本体側データ出力端子を前記機構枠体の中継基板取付部に止着された中継基板に設け、前記開口窓に臨んで設けられた中継基板と、前記中継基板取付部に止着された中継基板とが設けられた機構枠体上に、パチンコ機から外部へ出力される各種の外部出力情報を中継するデータ出力端子を前記遊技盤側データ出力端子とパチンコ機本体側データ出力端子とに視認可能に分けたことを特徴とするパチンコ機。」と訂正するとともに、請求項２を削除する。
　　　
　ii．訂正事項ｂ
　特許明細書の段落【０００４】の【課題を解決するための手段】を、
　「本発明はかかる問題点を解決するものであり、請求項１に記載された発明は、パチンコ機本体の背面側に、賞球制御装置により賞球を払い出すパチンコ機本体側の制御を行う本体制御回路と、該本体制御回路と信号線によって接続され、各入賞口に対応した賞球数を表す賞球数信号を発生する遊技盤側の制御を行う遊技制御回路とを備え、前記遊技制御回路から出力する遊技盤側の情報を中継する遊技盤側データ出力端子を機構枠体に開設した開口窓に臨む中継基板に設けるとともに、前記本体制御回路から出力するパチンコ機本体側の情報を中継するパチンコ機本体側データ出力端子を前記機構枠体の中継基板取付部に止着された中継基板に設け、前記開口窓に臨んで設けられた中継基板と、前記中継基板取付部に止着された中継基板とが設けられた機構枠体上に、パチンコ機から外部へ出力される各種の外部出力情報を中継するデータ出力端子を前記遊技盤側データ出力端子とパチンコ機本体側データ出力端子とに視認可能に分けたことを特徴とするパチンコ機である。」と訂正する。
　　　　
　iii．訂正事項ｃ
　特許明細書の段落【００３４】の【発明の効果】を、
　「以上のように本発明は、パチンコ機本体の背面側に、賞球制御装置により賞球を払い出すパチンコ機本体側の制御を行う本体制御回路と、該本体制御回路と信号線によって接続され、各入賞口に対応した賞球数を表す賞球数信号を発生する遊技盤側の制御を行う遊技制御回路とを備え、前記遊技制御回路から出力する遊技盤側の情報を中継する遊技盤側データ出力端子を機構枠体に開設した開口窓に臨む中継基板に設けるとともに、前記本体制御回路から出力するパチンコ機本体側の情報を中継するパチンコ機本体側データ出力端子を前記機構枠体の中継基板取付部に止着された中継基板に設け、前記開口窓に臨んで設けられた中継基板と、前記中継基板取付部に止着された中継基板とが設けられた機構枠体上に、パチンコ機から外部へ出力される各種の外部出力情報を中継するデータ出力端子を前記遊技盤側データ出力端子とパチンコ機本体側データ出力端子とに視認可能に分けたので、パチンコ機本体側の情報と遊技盤側の情報を分けて管理装置へ中継することができ、配線処理を合理的に行うことができる。また、配線が分かり易いので、不正遊技のための基盤が追加されたり、配線が改造されていると、一目瞭然に発見でき、不正遊技を未然に防止できる。」と訂正する。
　   
　（２）訂正の目的の適否、新規事項の有無及び拡張変更の存否
　上記訂正事項ａは、特許明細書の特許請求の範囲の請求項２を削除した上で、特許明細書の特許請求の範囲の請求項１に記載された発明に、「賞球制御装置により賞球を払い出す」、「本体制御回路と信号線によって接続され、各入賞口に対応した賞球数を表す賞球数信号を発生する」、「遊技盤側データ出力端子を機構枠体に開設した開口窓に臨む中継基板に設ける」、「本体側データ出力端子を機構枠体の中継基板取付部に止着された中継基板に設け」、「開口窓に臨んで設けられた中継基板と、前記中継基板取付部に止着された中継基板とが設けられた機構枠体上に、遊技盤側データ出力端子とパチンコ機本体側データ出力端子とに視認可能に分けた」という限定要件を付加しようとするものであるから、特許請求の範囲の減縮を目的とするものであり、また、上記訂正事項ｂ、ｃは、前記特許請求の範囲の減縮に伴って、減縮された特許請求の範囲の記載と発明の詳細な説明の記載とを整合させるため、課題を解決するための手段及び発明の効果を訂正する、明りょうでない記載の釈明を目的とするものであり、そして、これらの訂正事項ａ、ｂ、ｃは、特許明細書に記載された事項の範囲内において訂正するものであるから新規事項の追加に該当せず、また、実質上特許請求の範囲を拡張し又は変更するものでもない。
　　　
　（３）むすび
　したがって、上記訂正は特許法第１２０条の４第３項で準用する平成６年法律第１１６号による改正前の特許法第１２６条第１項ただし書き及び第２項の規定に適合するので、当該訂正を認める。
　　　　
３．特許異議申立てについての判断
　（１）本件発明
　本件請求項１に係る発明は、その訂正明細書及び図面の記載からみて、その特許請求の範囲の請求項１(前記２．(１)訂正事項ａ参照）に記載された事項により特定されるものである。(以下、「本件発明」という。)
　　　　
　（２）取消理由の概要 
　当審が平成１２年１２月２５日付けで通知した取消理由は、本件発明の特許は、刊行物である下記の甲第１号証乃至甲第３号証及び資料１乃至６に記載された発明に基づいて容易に発明をすることができたものであり、特許法第２９条２項の規定に違反してなされたものであるから、取り消されるべきというものである。
　甲第１号証：特開昭６４−５５８０号公報
　甲第２号証：実願昭５５−１１８５２７号（実開昭５７−４２８７５号）のマイクロフィルム
　甲第３号証：特開平２−２８０７８５号公報
　資料１：特開平２−２０３８８３号公報
　資料２：特開平２−２６１４８３号公報
　資料３：実願昭６１−１０１８４５号（実開昭６３−８０７６号）のマイクロフィルム
　資料４：特開昭６３−３１５０８２号公報
　資料５：実願昭６１−６２８８８号（実開昭６２−１７４５７５号）のマイクロフィルム
　資料６：実願昭６１−１０６３６６号（実開昭６３−１３１８８号）のマイクロフィルム
　　　
　（３）刊行物に記載の発明
　i．甲第１号証〔特開昭６４−５５８０号公報〕には、パチンコ機に関し、以下の記載が認められる。
　「発射装置と、入賞装置と、賞球排出装置と、表示装置と、打止め装置と、防犯装置とを有するパチンコ機において、前記発射装置、入賞装置、賞球排出装置、表示装置、打止め装置及び防犯装置にそれぞれ制御回路を設け、前記制御回路を複数の制御基板に分けて設け、前記各制御回路間を中継線及びコネクタを介して電気的に連絡したことを特徴とするパチンコ機。」（甲第１号証第１頁左下欄第５〜１２行）、
　「本発明の目的は、上記欠点を解消して、裏面に取付けられる各部品や装置の邪魔とならず、各制御回路を各装置の最適な位置に配置することができ、無駄なスペースを取らず、制御素子が故障しても制御基板全体を修理する必要がなく、制御基板の交換や修理も容易に行なえ、電気的干渉による誤動作や故障を防止することが可能なパチンコ機を提供することにある。」（同第１頁右下欄第１７行〜第２頁左上欄第４行）、
　「第１図は本発明の実施例に係わるパチンコ遊技機１の正面図であり、パチンコ遊技機１の基枠２の前面にはガラス板３を設けた金枠４が蝶番により開閉自在に装着され、基枠２にはガラス板３を通して覗かれる遊技盤５が装着されている。」（同第２頁左上欄第１８行〜右上欄第２行）、
　「パチンコ遊技機１の裏面の中央付近には入賞装置の制御回路を有する電役基板２３が設けられ、電役基板２３の側部には賞球排出装置の制御回路を有するケース基板２４が賞球ケース２２に設けられ、ケース基板２４の上方には打止め装置と表示装置の制御回路に連絡する端子板２５が設けられ、ケース基板２４の下方には防犯装置の制御回路を有する防犯基板２６が設けられ、防犯基板２６の側部には発射装置の制御回路を有するモータ基板２７が設けられ、これらの制御回路間が中継線及びコネクタを介して電気的に連絡されている。」（同第３頁左上欄第１５行〜右上欄第６行）、
　「電役基板２３には遊技盤５面に配設された複数の入賞装置を所定のセーフ球受入口へのパチンコ球の落入等の所定の入賞条件にしたがって駆動・表示制御させるための制御回路が設けられている。ケース基板２４にはセーフ球発生信号により遊技者に一定数のパチンコ球を賞品球として供給するための賞球排出装置の制御回路が設けられている。」（同第３頁左下欄第１７行〜右下欄第５行）、
　「第４図は本発明の第２実施例を示すものであり、パチンコ遊技機１の裏面には賞球タンク２０の側部に第１端子板４０が設けられ、タンクレール２１の下部には第２端子板４１が設けられ」（同第７頁左上欄第６〜９行）、
　「第５図は第２実施例の電気回路図を示し、・・・第１端子板４０、第２端子板４１、防犯基板４２、モータ駆動基板４３、制御基板４４及び中継基板４５が図示しないコネクタと中継線を介してそれぞれ電気的に接続されている。・・・第１端子板４０のコネクタＩ１にはコネクタＪ１を介してヒューズ４６を有するＡＣ２４Ｖ電源への差込みプラグ４７が中継線となる２本のコードＣＤにより接続され、第１端子板４０のコネクタＩ１と制御基板４４のコネクタＫＩとが２本のコードＣＤにより接続され、第１端子板４０のコネクタＩ２が予備端子に連絡され、第１端子板４０のコネクタＩ３が賞品球切れ出力に連絡され、第１端子板４０のコネクタＩ４が発射装置の制御入力に連絡されている。」（同第７頁左上欄第１９行〜右上欄第１８行）、
　「発射モータＭ２の作動により発射された遊技球が遊技盤５に設けた入賞装置に入賞すると、賞品球払出モータＭ３の作動に合せて賞球ケース２２の賞品球を払出して賞品球の払出しが行われ、同時に第１端子板４０に設けた賞品球払出検出スイッチＳＷ１６がＯＮになる。」（同第８頁左上欄第１８行〜右上欄第３行）、
　「タンクレール２１の賞品球が不足すると、第１端子板４０に設けた賞品球切れ検出スイッチＳＷ１５がＯＮとなり、第１端子板４０のコネクタＩ５より賞品球切れ表示信号が出て、補給信号の出力が行なわれ、賞品球切れ表示灯Ｌ１２が点灯する。また、賞品球切れ出力は第１端子板４０のコネクタＩ３より外部に出力される。」（同第８頁右上欄第６〜１３行）、
　「遊技盤５に設けた特定の入賞装置に遊技球が入賞すると、制御基板４４のコネクタＫ２，中継基板４５のコネクタＱ１，Ｑ２を経て第２端子板４１のコネクタＴ２より表示信号を出力し、特定状態表示灯Ｌ１０Ａ，Ｌ１０Ｂを点灯し、遊技中の特定状態を表示し、中継基板４１のコネクタＴ１より外部に特定状態信号を出力する。」（同第８頁右上欄第１４〜２０行）、
　「パチンコ遊技機１の外部のホール側より制御入力を行う場合には、第１端子板４０のコネクタＩ４に外部より打止め制御入力信号として接点入力を入れることにより、第１端子板４０のコネクタＩ７及び防犯基板４２のコネクタＮ１を介して防犯基板４２のリレーＲＹ３が作動し、リレーＲＹ３の作動によりリレー接点ｒ３が切換わる。」（同第８頁右下欄第１９行〜第９頁左上欄第５行）、
　「本発明のパチンコ機によれば、・・・各制御基板が裏面に取付けられる各部品や装置の邪魔とならず、各制御基板を各装置の最適な位置に配置することができ、無駄なスペースを取らず、制御素子が故障しても制御基板全体を修理する必要がなく、制御基板の交換や修理も容易に行なうことができ、電気的干渉による誤作動や故障を防止することができる。」（同第９頁右上欄第７〜２０行）。
　　　　
　そこで、甲第１号証における前記摘示の記載及び図面第１、４、５図を検討すると、図面第４図のパチンコ機の背面図には、周辺に第１端子板４０及び賞球タンク等の部材を配設するとともに、中央部の略矩形の２重枠線の内側に第２端子板４１を配設する実施例が図示されているところ、パチンコ機の技術分野において遊技盤を収納可能に構成した前面枠の背面側に機構板を一体あるいは別体に設けて、前記機構板には賞球タンクや賞球制御装置等のパチンコ機本体を構成する各種部材を配設するとともに、遊技盤の裏面側に配設した遊技内容に係る各種部材やその配線が露出し視認可能となるように前記機構板に開口窓を開設するようにしたパチンコ機は、一般的に周知の形態（例えば、甲第２号証、甲第３号証、資料４、資料５、資料６、特開昭６３−１５８０８４号公報、実願昭５９−１５１１３８号（実開昭６１−６７７７９号）のマイクロフィルム参照）として当業者の技術常識であるから、これらの技術常識によれば、甲第１号証には、前記第１端子板４０を機構板に設けるとともに、遊技盤の裏面側に設けた第２端子板４１が露出するように、機構板に前記略矩形の２重枠線が示すような開口窓を開設したパチンコ機が開示されているものと認められる。
　　　
　そうすると、甲第１号証には以下の発明が記載されているものと認められる。
　「パチンコ機本体の背面側に、賞球排出制御回路と、該賞球排出制御回路と中継線によって接続され、各入賞口に対応した入賞条件にしたがって駆動・表示制御信号を発生する遊技盤側の制御を行う制御基板４４とを備え、前記制御基板４４から出力する遊技盤側の情報である特定の入賞装置に遊技球が入賞したときの特定状態信号を中継するコネクタ端子Ｔ１を機構板に開設した開口窓に臨む第２端子板４１に設けるとともに、前記賞球排出制御回路から出力する賞品球切れ出力の情報を中継するコネクタ端子Ｉ３を前記機構板に止着された第１端子板４０に設け、前記開口窓に臨んで設けられた前記第２端子板４１と、前記第１端子板４０とが設けられた機構板上に、パチンコ機から外部へ出力される各種の外部出力情報を中継するデータ出力端子を前記コネクタ端子Ｔ１とコネクタ端子Ｉ３とに視認可能に分けたパチンコ機。」（以下、「引用発明」という。）
　　　
　ii．甲第２号証〔実願昭５５−１１８５２７号（実開昭５７−４２８７５号）のマイクロフィルム〕には、パチンコ機に関し、以下の記載が認められる。
　「コイン式パチンコ機本体の機能に係る配線系統と遊技内容に係る配線系統とを分離して夫々中継基板に集約し、この中継基板と制御装置とを接続したことを特徴とするコイン式パチンコ機の配線処理構造」（甲第２号証第１頁第５〜９行）、
　「現在、コイン式パチンコ機は電子部品の発達によって一層趣興に富んだゲーム内容となっているが、その反面、電気・電子部品も増加しその配線が複雑化している。配線の未整理、複雑化は配線が無用に長くなり、コードバインダー等の結束部品の使用量も多くなるなど不経済であるばかりか、玉止りの原因となったり、断線事故を生じ易くなる等の不都合があった。殊に保守点検作業に手間が掛り、電気・電子部品の交換も困難な状態であった」（同第１頁第１４行〜第２頁第３行）、
　「本考案は、かかる不都合を解消するため、配線をコイン式パチンコ機本体の機能に係る配線系統とマトリックス等の遊技内容に係る配線系統との二系統に分離し、各系統の配線を夫々別個の中継基板に集約し、これ等とマトリックス等の制御装置とをコネクター等を以って接続したものである。」（同第２頁第４行〜第１０行）、
　「コイン式パチンコ機本体の機能に係る電機・電子部品は、前面枠１に装着したコイン投入阻止装置２、精算スイッチ３、スピーカー４及び前面枠１に蝶番５を介して着脱・開閉自在に係合する裏機構板６に装着したコイン検出器７、コイン不足検出器８、コイン排出装置９から成る。」（同第２頁第１２行〜第１８行）、
　「而して、制御装置２９は所定のゲーム内容を記憶させたコンピュータであり、遊技盤１７の裏面に装着する。本考案は、この制御装置２９に対し、叙上の各電気・電子装置及び部品間の配線を、コイン式パチンコ機本体の機能に係るグループ（Ａブロック）と遊技内容に係るグループ（Ｂブロック）との二系統に分離し、各系統の配線を夫々の中継基板３０に集約し、この中継基板３０と制御装置２９とをコネクター等を介して接続したものである。Ａブロックを第１中継基板３０ａに、Ｂブロックを第２中継基板３０ｂに集約して配線し、第１中継基板３０ａを裏機構板１７裏面に、第２中継基板３０ｂを遊技盤１７の裏面に設けている。第５図はこの配線状態を示すブロック図である」（同第５頁第２〜１７行）、
　「叙上の如く、本考案は、配線を二系統に分離し夫々を中継基板に集約して制御装置に接続したものであるから、配線が大幅に整理統合され配線に伴なう諸経費の節減と、保守点検が迅速かつ容易となる。」（同第６頁第２〜６行）。
　　　　
　甲第２号証における前記摘示の記載及び図面第１、５図によれば、甲第２号証には以下の発明が記載されているものと認められる。
　「パチンコ機本体の背面側に、遊技内容及びパチンコ機本体の機能に係る制御を行う制御装置２９を備え、前記制御装置２９へ出力される遊技内容に係る電気・電子装置及び部品間のグループ系統の配線を集約した遊技盤側データ出力端子を遊技盤１７の裏面に設けられた第２中継基板３０ｂに設けるとともに、前記制御装置２９へ出力されるパチンコ機本体の機能に係る電気・電子装置及び部品間のグループ系統の配線を集約したパチンコ機本体側データ出力端子をパチンコ機の背面側に設けられた裏機構板６に止着された第１中継基板３０ａに設け、前記第２中継基板３０ｂと前記第１中継基板３０ａに、前記制御装置２９へ出力される各種の情報を中継するデータ出力端子を前記遊技盤側データ出力端子とパチンコ機本体側データ出力端子とに視認可能に分けたパチンコ機。」（以下、「甲第２号証発明」という。）
　　　　　
　iii．甲第３号証〔特開平２−２８０７８５号公報〕には、パチンコ機に関し、以下の記載が認められる。
　「遊技盤保持枠に着脱自在に取付けられた遊技盤と、主として該遊技盤上に設けられた電気的遊技装置と、前記遊技盤の裏側に配置された機構板に設けられ、且つ電気的駆動源の作動によって払出される景品玉数を異ならせることが可能な景品玉払出装置と、前記電気的遊技装置を駆動制御する遊技装置制御回路と、前記景品玉払出装置を駆動制御する払出装置制御回路と、を備えた弾球遊技機において、前記遊技装置制御回路と前記払出装置制御回路とを弾球遊技機に対して着脱可能に設けられる１つの回路基板収納ケースに収納し、該回路基板収納ケース内に収納された各制御回路と前記電気的遊技装置及び景品玉払出装置とを電気的に接続・切り放し可能な接続部材で接続したことを特徴とする弾球遊技機。」（甲第３号証第１頁左下欄第５行〜右下欄第３行）、
　「前記遊技盤１２の裏面には、・・・入賞玉集合カバー体３５ａ，３５ｂが固定されている。・・・前記入賞玉集合カバー体３５ａの裏面上部には、遊技盤１２に設けられる前記したスイッチやランプ及び駆動源等から延びる配線を中継する中継端子基板３６が取り付けられている。」（同第４頁右下欄第３行〜第５頁左上欄第２行）、
　「パチンコ遊技機１の背面には、機構板５３が開閉自在に取付けられている。この機構板５３は、前記遊技盤１２に設けられた入賞口からの入賞玉を処理して、その入賞玉に対応する所定個数の景品玉を排出するための各種の機構が設けられるものである。しかして、機構板５３には、前記したように機構板５３を閉じた状態で係止する固定部材５４ａ〜５４ｃによって前記遊技盤保持枠４２に固定支持されるようになっている。更に、機構板５３のほぼ中央には、窓開口５５が開設され、この窓開口５５の下方位置の仕切壁５６の前後に第１の入賞玉集合樋５７と第２の入賞玉集合樋５８が形成されている。」（同第５頁左下欄第１４行〜右下欄第６行）、
　「機構板５３の後面側には、パチンコ遊技機設置台の図示しない補給機構から補給される景品玉を遊技者に払い出すための各種の機構が設けられている。これらの機構について、以下説明すると、機構板５３の上部には、景品玉タンク６１が固定されている。この景品玉タンク６１には、上記した補給機構から多量の景品玉が補給されるようになっている。景品玉タンク６１の下方には、景品玉を整列させるための玉整列樋６２が設けられている。この玉整列樋６２は、景品玉が２列に整列して自然流下するように傾斜して取り付けられる。」（同第６頁左上欄第５〜１４行）、
　「機構板５３には、前記景品玉払出装置９０からの配線及び前記満タン検出器７９等の配線を中継する中継端子基板８３や、前記可変表示装置１５及び可変入賞球装置２０を制御する遊技装置制御回路や後述する景品玉払出装置９０を制御する払出装置制御回路を含む回路基板を収納する回路基板収納ケース１１０や、パチンコ遊技機１の電源を供給するためのターミナルボックス８４が取り付けられている。」（同第７頁左下欄第１〜９行）、
　「中継端子基板１０７には、中継端子（雄型コネクタ）１０８ａ，１０８ｂが設けられ、この中継端子１０８ａ，１０８ｂと前記回路基板収納ケース１１０内に収納される回路基板１４１に構成される払出装置制御回路用の雄型コネクタ１４３とが接続部材である配線１５６によって接続される。」（同第８頁右上欄第１３〜１９行）、
　「上記した中継端子基板１０７及び前記入賞玉集合カバー体３５ａに設けられる中継端子基板３６と接続部材（配線１５６）で接続される回路基板１４１が収納される回路基板収納ケース１１０は、前記したように機構板５３の裏面に取付けられる」（同第８頁右下欄第２〜７行）、
　「ゲーム制御に用いる入賞玉検出器を景品玉払出制御に兼用するようにしてもよい。例えば、上記実施例において始動入賞玉検出器４０ａを景品玉払出制御にも用いるようにすれば、第２の入賞玉検出器６０は不要になる。」（同第１４頁左下欄第３〜７行）。
　　　
　甲第３号証における前記摘示の記載及び図面第１乃至８図によれば、甲第３号証には以下の発明が記載されているものと認められる。
　「パチンコ機本体の背面側に、景品玉払出装置９０を駆動制御する払出装置制御回路と、該払出装置制御回路と接続部材によって接続され、各入賞口に対応した入賞球数を表す入賞球数信号を発生する遊技盤側の制御を行う遊技装置制御回路とを備え、遊技盤１２の裏面には遊技盤１２に設けられるスイッチやランプ及び駆動源等から延びる配線を中継する中継端子基板３６を機構板５３に開設した窓開口５５に臨むように設けるとともに、機構板５３には前記景品玉払出装置９０からの配線及び満タン検出器７９等の配線を中継する中継端子基板８３と景品玉タンク６１とを設けたパチンコ機。」（以下、「甲第３号証発明」という。）
　　　　
　iv．資料１〔特開平２−２０３８８３号公報〕には、賞品球排出装置２２０により賞球を払い出すパチンコ機全体の制御を行う裏メカ制御装置３００と、該裏メカ制御装置３００とラッチ回路６５１及び賞球数出力部６６３を介して接続され、各入賞口に対応した賞球数を表す賞球数信号を発生する遊技盤側の制御を行う中央処理装置６００Ａとを備えたパチンコ機の発明が開示されている。
　　　
　v．資料２〔特開平２−２６１４８３号公報〕には、遊技盤１５の裏面に遊技盤１５に設けられるスイッチやランプ及び駆動源等から延びる配線を中継する中継端子基板４４を設けるとともに、機構板５３に景品玉払出装置９０からの配線及び満タン検出器等の配線を中継する中継端子基板８５を設けたパチンコ機の発明が開示されている。
　　　
　vi．資料３〔実願昭６１−１０１８４５号（実開昭６３−８０７６号）のマイクロフィルム〕には、遊技盤５の裏面側の入賞玉集合カバー部材４０に遊技盤側の情報を中継する中継基板７０を止着する中継基板取付部５３を設け、機構板２６には景品玉タンク２７及び制御回路基板８０を設けるとともに、前記中継基板７０を前記機構板２６に開設した窓開口３１に臨むように設けたパチンコ機の発明が開示されている。
　vi．資料４〔特開昭６３−３１５０８２号公報〕には、遊技盤２の裏面側の入賞玉集合カバー体１６に遊技盤側の情報を中継する中継端子基板３５０を止着する中継基板ガイド部６０ａ，６０ｂ，６０ｃを設けたパチンコ機の発明が開示されている。
　　
　vii．資料５〔実願昭６１−６２８８８号（実開昭６２−１７４５７５号）のマイクロフィルム〕には、遊技盤５の裏面側の第１のカバー部材５１に遊技盤側の情報を中継する中継端子基板７１を止着する基板ガイド片６８を設け、機構板３２には景品球貯留タンク３３及びコントロール基板９８を設けるとともに、前記中継端子基板７１を前記機構板３２に開設した窓開口に臨むように設けたパチンコ機の発明が開示されている。
　viii．資料６〔実願昭６１−１０６３６６号（実開昭６３−１３１８８号）のマイクロフィルム〕には、遊技盤５０の背面側の球寄せ板２０に遊技盤側の情報を中継する中継端子板５１を、賞球タンクを設けた機構板１０に開設した窓開口１１に臨み露出するように設けたパチンコ機の発明が開示されている。
　　　　
　（４）本件発明と引用発明との対比検討
　i．本件発明と引用発明とを対比する。
　まず、引用発明における、「賞球排出制御回路」、「制御基板４４」は、それぞれ、本件発明における、「賞球制御装置により賞球を払い出すパチンコ機本体側の制御を行う本体制御回路」、「遊技制御回路」に相当する。
　また、本件発明における「機構枠体」は、その特許明細書の段落【０００６】に「パチンコ機１の外枠に開閉可能に蝶着した前面枠２の背面側には、遊技盤２ａを収納可能な金属板からなるリヤプレート３を添設すると共に、このリヤプレート３の背面側にベース本体４等の機構枠体を添設する。」、段落【０００９】に「前記ベース本体４には遊技者に払い出す賞球を貯留する上タンク１２を設けると共に、該上タンク１２の下方に賞球誘導樋１３を着脱可能に設けて、前記した上枠体部分６ａ内に収設した賞球誘導路に連通可能とする。」と記載されるように、パチンコ機の構成部材として前面枠の背面側にあって賞球タンク等を設置するための部材であるところ、引用発明における「機構板」もパチンコ機の構成部材として前面枠の背面側にあって賞球タンク等を設置するための部材であり、また、機構板は一般的に枠体形状をなすことから機構枠体と表現されることも通例（例えば、実願昭５９−１５１１３８号（実開昭６１−６７７７９号）のマイクロフィルム参照）であるから、引用発明における「機構板」は本件発明における「機構枠体」に相当する。
　さらに、引用発明における賞品球切れ出力の情報はパチンコ機本体側の情報であるから、その賞品球切れ出力の情報を中継する「コネクタ端子Ｉ３」及び「第１端子板４０」は本件発明における「パチンコ機本体側データ出力端子」及び「中継基板」に相当するとともに、引用発明における特定の入賞装置に遊技球が入賞したときの特定状態信号は遊技盤側の情報であるから、その特定状態信号の情報を中継する「コネクタ端子Ｔ１」及び「第２端子板４１」は本件発明における「遊技盤側データ出力端子」及び「中継基板」に相当する。
　そうすると、本件発明と引用発明の両者は、以下の点でそれぞれ、一致ならびに相違するものと認められる。
　　　
　一致点．「パチンコ機本体の背面側に、賞球制御装置により賞球を払い出すパチンコ機本体側の制御を行う本体制御回路と、遊技盤側の制御を行う遊技制御回路とを備え、前記遊技制御回路から出力する遊技盤側の情報を中継する遊技盤側データ出力端子を機構枠体に開設した開口窓に臨む中継基板に設けるとともに、前記本体制御回路から出力するパチンコ機本体側の情報を中継するパチンコ機本体側データ出力端子を前記機構枠体に止着された中継基板に設け、前記開口窓に臨んで設けられた中継基板と、前記機構枠体に止着された中継基板とが設けられた機構枠体上に、パチンコ機から外部へ出力される各種の外部出力情報を中継するデータ出力端子を前記遊技盤側データ出力端子とパチンコ機本体側データ出力端子とに視認可能に分けたパチンコ機。」
　　　　
　相違点Ａ．本件発明では、賞球を払い出す制御を行う本体制御回路と賞球数信号を発生する遊技制御回路が信号線によって接続される構成であるのに対して、引用発明では、前記構成について明らかでない点。
　相違点Ｂ．パチンコ機本体側データ出力端子を機構枠体に止着された中継基板に設けるときに、本件発明では、機構枠体に中継基板取付部を形成するのに対して、引用発明では、機構枠体に中継基板取付部を形成する構成について開示していない点。
　　　
　ii．相違点の検討
　相違点Ａについては、パチンコ機の技術分野において、賞球を払い出す制御を行う本体制御回路と賞球数信号を発生する遊技制御回路が信号線によって接続される構成は周知技術（例えば、甲第３号証〔特開平２−２８０７８５号公報〕、資料１〔特開平２−２０３８８３号公報〕）であるから、該周知の構成を引用発明におけるパチンコ機に採用して、相違点Ａにかかる本件発明の構成のようにすることは、当業者が容易に想到できるものと認められる。
　相違点Ｂについては、パチンコ機の技術分野において、中継基板取付部を設けて中継基板を止着することは慣用技術（例えば、資料３〔実願昭６１−１０１８４５号（実開昭６３−８０７６号）のマイクロフィルム〕、資料４〔特開昭６３−３１５０８２号公報〕、資料５〔実願昭６１−６２８８８号（実開昭６２−１７４５７５号）のマイクロフィルム〕であるから、引用発明におけるパチンコ機本体側データ出力端子を機構枠体に止着された中継基板に設けるときに、機構枠体に中継基板取付部を形成して、相違点Ｂにかかる本件発明の構成のようにすることは、当業者が容易に想到できるものと認められる。
　　　
　そして、本件発明の、配線処理を合理的に行うことができるとともに配線が分かり易いので不正遊技のための基盤が追加されたり配線が改造されていると一目瞭然に発見でき不正遊技を未然に防止できるという作用効果は、引用発明及び前記周知慣用技術から、当業者が当然予測できる程度のものと認められる。
　　　
　iii．よって、本件発明は、刊行物である甲第１号証に記載された発明（引用発明）に基づいて当業者が容易に発明をすることができたものと認められるので、特許法第２９条第２項の規定により特許を受けることができない。
　　　　
　（５）むすび
　以上のとおりであるから、本件請求項１に係る発明についての特許は、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年７月１０日（２００１．７．１０）
【訂正の要旨】
　訂正の要旨
　ｉ．訂正事項ａ
　特許明細書の特許請求の範囲の請求項２を削除した上で、特許明細書の特許請求の範囲の請求項１を、特許請求の範囲の減縮を目的として、
　「パチンコ機本体の背面側に、賞球制御装置により賞球を払い出すパチンコ機本体側の制御を行う本体制御回路と、該本体制御回路と信号線によって接続され、各入賞口に対応した賞球数を表す賞球数信号を発生する遊技盤側の制御を行う遊技制御回路とを備え、前記遊技制御回路から出力する遊技盤側の情報を中継する遊技盤側データ出力端子を機構枠体に開設した開口窓に臨む中継基板に設けるとともに、前記本体制御回路から出力するパチンコ機本体側の情報を中継するパチンコ機本体側データ出力端子を前記機構枠体の中継基板取付部に止着された中継基板に設け、前記開口窓に臨んで設けられた中継基板と、前記中継基板取付部に止着された中継基板とが設けられた機構枠体上に、パチンコ機から外部へ出力される各種の外部出力情報を中継するデータ出力端子を前記遊技盤側データ出力端子とパチンコ機本体側データ出力端子とに視認可能に分けたことを特徴とするパチンコ機。」と訂正する。
　ｉｉ．訂正事項ｂ
　特許明細書の段落【０００４】の【課題を解決するための手段】を、明りょうでない記載の釈明を目的として、
　「本発明はかかる問題点を解決するものであり、請求項１に記載された発明は、パチンコ機本体の背面側に、賞球制御装置により賞球を払い出すパチンコ機本体側の制御を行う本体制御回路と、該本体制御回路と信号線によって接続され、各入賞口に対応した賞球数を表す賞球数信号を発生する遊技盤側の制御を行う遊技制御回路とを備え、前記遊技制御回路から出力する遊技盤側の情報を中継する遊技盤側データ出力端子を機構枠体に開設した開口窓に臨む中継基板に設けるとともに、前記本体制御回路から出力するパチンコ機本体側の情報を中継するパチンコ機本体側データ出力端子を前記機構枠体の中継基板取付部に止着された中継基板に設け、前記開口窓に臨んで設けられた中継基板と、前記中継基板取付部に止着された中継基板とが設けられた機構枠体上に、パチンコ機から外部へ出力される各種の外部出力情報を中継するデータ出力端子を前記遊技盤側データ出力端子とパチンコ機本体側データ出力端子とに視認可能に分けたことを特徴とするパチンコ機である。」と訂正する。
　ｉｉｉ．訂正事項ｃ
　特許明細書の段落【００３４】の【発明の効果】を、
　「以上のように本発明は、パチンコ機本体の背面側に、賞球制御装置により賞球を払い出すパチンコ機本体側の制御を行う本体制御回路と、該本体制御回路と信号線によって接続され、各入賞口に対応した賞球数を表す賞球数信号を発生する遊技盤側の制御を行う遊技制御回路とを備え、前記遊技制御回路から出力する遊技盤側の情報を中継する遊技盤側データ出力端子を機構枠体に開設した開口窓に臨む中継基板に設けるとともに、前記本体制御回路から出力するパチンコ機本体側の情報を中継するパチンコ機本体側データ出力端子を前記機構枠体の中継基板取付部に止着された中継基板に設け、前記開口窓に臨んで設けられた中継基板と、前記中継基板取付部に止着された中継基板とが設けられた機構枠体上に、パチンコ機から外部へ出力される各種の外部出力情報を中継するデータ出力端子を前記遊技盤側データ出力端子とパチンコ機本体側データ出力端子とに視認可能に分けたので、パチンコ機本体側の情報と遊技盤側の情報を分けて管理装置へ中継することができ、配線処理を合理的に行うことができる。また、配線が分かり易いので、不正遊技のための基盤が追加されたり、配線が改造されていると、一目瞭然に発見でき、不正遊技を未然に防止できる。」と訂正する。
（５４）【発明の名称】
パチンコ機
（５７）【特許請求の範囲】
　【請求項１】　パチンコ機本体の背面側に、
賞球制御装置により賞球を払い出す
該本体制御回路と信号線によって接続され、各入賞口に対応した賞球数を表す賞球数信号を発生する
　前記遊技制御回路から出力する遊技盤側の情報を中継する遊技盤側データ出力端子
を機構枠体に開設した開口窓に臨む中継基板に設けるとともに
を機構枠体の中継基板取付部の中継基板に設け、開口窓に臨んで中継基板が配置されるとともに中継基板取付部に中継基板が設けられた機構枠体を介在して、パチンコ機から外部へ出力される各種の外部出力情報を中継するデータ出力端子を前記遊技盤側データ出力端子とパチンコ機本体側データ出力端子とに視認可能に
【発明の詳細な説明】
　【０００１】
　【発明の属する技術分野】
　本発明は、パチンコ機に関し、特に、パチンコ機本体側の制御を行う本体制御回路と、遊技盤側の制御を行う遊技制御回路とを備えるパチンコ機に関するものである。
　【０００２】
　【従来の技術】
　パチンコ機は、近年、新しい技術が導入され、電子化が進むと共に、特に管理コンピュータを用いて複数のパチンコ機を一括管理するようになってから、構造が更に複雑になり、遊技盤の背面に設けられた遊技制御手段関連、パチンコ機本体に設けられたパチンコ機本体制御手段関連、及び電源系からの配線が増加し、複雑化する傾向にある。一方、各配線処理は、旧態依然とした垂流し状態にあるのが現状である。
　【０００３】
　【発明が解決しようとする課題】
　特に、個々のパチンコ機に電源を供給する給電線は、遊技島の電源に直付けされたり、或は抜き差し可能なコネクタ端子を介して行われている。ところが、このコネクタ端子は、遊技島内のパチンコ機の裏側に配置されているが、前面枠を開放してもよく見えないのが現状である。また、遊技島には通常背中合わせにパチンコ機が列設されいるため、こちら側のコネクタ端子か、向こう側のコネクタ端子であるか解り難い。しかも、遊技島内には種々の配線コードが錯綜しており、何れの配線であるか区別が困難である。このため、不正遊技を行うための基盤が接続されていても発見が困難である。
　【０００４】
　【課題を解決するための手段】
　本発明はかかる問題点を解決するものであり、請求項１に記載された発明は、パチンコ機本体の背面側に、
賞球制御装置により賞球を払い出す
該本体制御回路と信号線によって接続され、各入賞口に対応した賞球数を表す賞球数信号を発生する
を機構枠体に開設した開口窓に臨む中継基板に設けるとともに
を前記機構枠体の中継基板取付部に止着された中継基板に設け、前記開口窓に臨んで設けられた中継基板と、前記中継基板取付部に止着された中継基板とが設けられた機構枠体上に、パチンコ機から外部へ出力される各種の外部出力情報を中継するデータ出力端子を前記遊技盤側データ出力端子とパチンコ機本体側データ出力端子とに視認可能に分けた
　【０００５】
　【発明の実施の形態】
　以下本発明の一実施の形態を図面に基づいて説明すると、図１はパチンコ機１の概略背面図、図２は図１の部分拡大図、図３は図２の平面図、図４は図２の側面図、図５は図４の断面図、図６は図２の詳細図、図７は図２のＡ−Ａ線断面図、図８は図２の部分背面図である。
　【０００６】
　パチンコ機１の外枠に開閉可能に蝶着した前面枠２の背面側には、遊技盤２ａを収納可能な金属板からなるリヤプレート３を添設すると共に、このリヤプレート３の背面側にベース本体４等の機構枠体を添設する。
　【０００７】
　また、前記リヤプレート３には蝶番５を介して可動枠体６を開閉可能に蝶着する。この可動枠体６は分離可能な上枠体部分６ａと下枠体部分６ｂとからなり、上枠体部分６ａには賞球制御装置を設けると共に賞球誘導路や賞球放出路等を設ける。尚、遊技盤２ａの裏面には入賞装置等、主に遊技盤側の制御を行う遊技制御回路（ボックス）９′が遊技盤２ａに対して着脱自在に装着されている。一方、下枠体部分６ｂにはセーフ球通路やセーフ球検出装置等を設ける。また、前記可動枠体６には遊技盤２ａの後方に臨む球寄せカバー７を設ける。そして、この球寄せカバー７の下方位置のリヤプレート３には固定枠体８を設けて発射制御装置、入賞制御装置、賞球制御装置等の処理を行う本体制御回路（ボックス）９を設ける。
　【０００８】
　この本体制御回路（ボックス）９は前記遊技制御回路（ボックス）９′と信号線によって後述する中継基板８５を介して接続され、前記入賞球検出装置がセーフ球を検出した場合、前記本体制御回路（ボックス）９は前記遊技制御回路（ボックス）９′に、入賞口に対応した賞球数を問合わせる信号を発生させ、該問合わせ信号の発生に基づいて前記遊技制御回路（ボックス）９′は各入賞口に対応した賞球数を表す賞球数信号を発生させ、該賞球数信号の発生に基づいて前記賞球制御装置が所定数の賞球を払い出すように構成してある。また、前記固定枠体８の下方に打球発射装置の駆動部１０や上皿から溢れた球を下皿に誘導する下皿誘導樋１１等を設ける。
　【０００９】
　前記ベース本体４には遊技者に払い出す賞球を貯留する上タンク１２を設けると共に、該上タンク１２の下方に賞球誘導樋１３を着脱可能に設けて、前記した上枠体部分６ａ内に収設した賞球誘導路に連通可能とする。
　【００１０】
　前記ベース本体４は、主に上タンク１２をリヤプレート３に止着するための部材であって、リヤプレート３側に空部を有するほゞ皿状をなし、前記リヤプレート３の上方の所定位置に位置決めボス１４ａ及び１４ｂによって位置決めされた上、止着ビス１５等で適宜固定する。尚、このベース本体４には係合溝が設けてあり、後述する上タンク１２の係合片が係合するようになっている。
　【００１１】
　更に、このベース本体４には、前記した可動枠体６を止着するロック部材１８や、後述する賞球誘導樋１３から球が流出するのを防ぐストッパー部材等を設ける。
　【００１２】
　また、前記ベース本体４の一隅には、後述する球検出装置１９を着脱可能に止着する検出装置嵌入部２０を設ける。また、この検出装置嵌入部２０の下方には電気的コネクタ手段２１を固定すると共に配線ケーブルを押え込む止着部材２２を設け、この止着部材２２の傍には本体制御回路（ボックス）９の配線ケーブルを逃すための凹陥部２３を形成する。
　【００１３】
　前記上タンク１２は、リヤプレート３にベース本体４を介して止着される上面及び背面側が開放する箱状であって、前記したベース本体４の凹溝に当該上タンク１２の開放周縁を嵌合して止着ビス１５ａ等でベース本体４に適宜固定する。前記上タンク１２の底部１２ａの一隅には縦横共に複数列の球が同時に通過できるほゞ矩形の連通孔２４として、例えばＨ１＝４０ｍｍ、Ｈ２＝８５ｍｍを開設し（球径＝１１ｍｍ）、この連通孔２４に向けて緩い傾斜Ａ、Ｂ、Ｃを設けると共に、階段状のリブＤを複数設けて、開口部付近において球が互いに押圧し合って詰まってしまう所謂ブリッジ現象或は俵積み現象を起こさないように適宜工夫した形状としてある。
　【００１４】
　前記のような上タンク１２の一隅には球検出装置１９を臨ませる。この球検出装置１９は、ケース７０内にユニット化されており、いつでも着脱が容易である。
　【００１５】
　即ち、前記ケース７０は、例えば一面が開口する浅い箱枠状であってプラスチック材からなり、底板部７１及び一方側の側板部７２に切欠口７３及び切欠部７４が夫々設けてある。このケース７０内には配線基板７５を収設し、該配線基板７５には必要な配線をプリント配線すると共に、検出スイッチのソケット７６を設ける。また、この配線基板７５には発光源として例えば発光ダイオード７７を植設し、この発光ダイオード７７の光が遊技盤２ａの前面側に届くようにする。
　【００１６】
　前記配線基板７５にはコネクタ手段２１の一方を構成する例えば雄型の端子部２１ａをケース７０の底板部７１に開設した切欠口７３に臨むように設ける。この雄型の端子部２１ａに対応してコネクタ手段２１の他方を構成する雌型の端子部２１ｂはベース本体４に設けてあり、前記ケース７０を着脱することにより雄型の端子部２１ａと雌型の端子部２１ｂとが電気的に継脱される。また、前記連通孔２４側の側壁部を連通孔２４の幅で側方に膨出させて凸室２５を設け、該凸室２５に、上方を上タンク１２側のボス３４ａにインサート成型した揺動支軸２６により揺動自在とした揺動部材である検出レバー２７を収納する。前記ソケット７６には、検出スイッチとして例えばマイクロスイッチ３１を着脱自在に嵌着し、該マイクロスイッチ３１から揺動自在に延出するアクチュエータ３２の端部を前記ケース７０の側板部７２に開設した切欠部７４から若干突出するようになす。そして、前記ケース７０をパチンコ機１の本体側であるベース本体４に止着した状態のときに、前記検出レバー２７の作動部３３に臨むようにする。これにより、前記検出レバー２７は、上タンク１２に充填した球の押圧を受け、揺動支軸２６を支点として揺動し、作動部３３をアクチュエータ３２側に突出させる。
　【００１７】
　更に、前記ケース７０には、当該ケース７０をベース本体４に止着するための係合突起７８を設けると共に操作片７９を設ける。この係合突起７８及び操作片７９は、ケース７０の上板部８０から背板部８１にかけて切り込んだ２本の平行する切込溝８２，８２によって形成してあり、前記係合突起７８をベース本体４の仕切板部８３に開設した係合口８４に弾着することにより、ケース７０をベース本体４に止着することができ、ケース７０を外すときには、操作片７９を係合突起７８が係合口８４から外れるように押し曲げながら引き抜けばよい。このとき、コネクタ手段２１の一方の端子部２１ｂがベース本体４に固定されているので、コネクタ手段２１の両端子部２１ａ，２１ｂの接続も外れる。尚、図示の実施例ではベース本体４に設けた検出装置嵌入部２０の側部がケース７０の側板部７２に摺接すると共に、ベース本体４の仕切板部８３にケース７０の背板部８１が摺接して側部及び仕切板部８３がケース７０のガイドになっている。
　【００１８】
　そして、前記した配線基板７５に植設した発光ダイオード７７は、例えば完了表示灯として利用する。このため図示の実施形態では発光ダイオード７７を３個並設して光量を増大させている。尚、図示していないが、ベース本体４や機構枠体及び遊技盤２ａには前記発光ダイオード７７の光が遊技盤２ａの遊技レール（図示せず）で囲まれた遊技部外の左右上方の前面に届くように透光部が設けてある。
　【００１９】
　前記検出装置嵌入部２０と反対側の端部付近には、前記本体制御回路（ボックス）９からの配線ケーブル及び不正防止としてパチンコ機本体に設けた磁気検出手段、金枠開放検出手段等からのパチンコ機本体側の情報を管理コンピュータ（図示せず）に中継する中継基板取付部１６が形成されると共に、この中継基板取付部１６には、中継基板８５が止着されている。
　【００２０】
　この中継基板８５には発光ダイオード８６を設けて、前記した完了表示灯と同様に光を遊技盤２ａの前面に導いて、遊技者に賞球を払い出す賞球制御装置の作動に同期して賞球の払出状態を可視表示する賞球表示灯とする。
　【００２１】
　また、中継基板８５には、本体制御回路（ボックス）９の信号線を接続する本体端子９１、遊技制御回路（ボックス）９′と本体制御回路（ボックス）９との間で前記した賞球数を問合わせる信号や賞球数を表す賞球信号を交信するための信号線を接続する接続端子９２、パチンコ機本体に設けてあるスピーカと接続するスピーカ端子９３が設置されている。
　【００２２】
　更に、中継基板８５には、不正防止としてパチンコ機本体に設置される磁気検出回路及び金枠開放検出回路と接続する磁気不正防止回路端子８８及び金枠開放検出回路端子８９、入賞球数信号、アウト球数信号、補給信号、打球発射停止信号等を制御する本体制御回路（ボックス）９及び前記端子８８、８９等の本体側の情報を一括して管理コンピュータに接続するための本体側データ出力端子９０が設置されている。
　【００２３】
　一方、遊技盤２ａの背面に装着された遊技制御回路（ボックス）９′から管理コンピュータに出力される各種の情報データ、例えば大当りの回数データ、始動回数データ、大当り時の継続回数データ等の遊技盤側の情報を出力する遊技盤側データ出力端子９′ａを取着した中継基板９′ｂが臨む開口窓１７を隣接して開設する。
　【００２４】
　この際、中継基板９′ｂは、遊技制御回路（ボックス）９′と同様、遊技盤２ａの背面に装着されており、開口窓１７を通して、遊技盤側データ出力端子９′ａは管理コンピュータと接続するように配置されている。従って、この遊技盤側データ出力端子９′ａは、パチンコ機の背面側から視認可能である。
　【００２５】
　このようにして、遊技盤２ａ側のデータ及びパチンコ機本体側のデータは容易に管理コンピュータに伝送することが可能になる。
　【００２６】
　更に、この中継基板８５には、パチンコ島に設置してある電源装置（図示せず）と接続する本体電源端子８７を設けると共に、該本体電源端子８７から分電され、前記遊技制御回路（ボックス）９′に電源を供給する遊技制御回路電源端子９４及び前記本体制御回路（ボックス）９に電源を供給する本体制御回路電源端子９５が配設されている。これにより、前記遊技盤２ａとパチンコ機本体との電気的接続は、全て前記中継基板８５を介しておこなわれる。
　【００２７】
　前記中継基板８５上において、前記本体電源端子８７と、前記遊技制御回路電源端子９４及び前記本体制御回路電源端子９５の間に、夫々、過電流防止用ヒューズ９８，９９を設けている。これにより、前記遊技制御回路（ボックス）９′か、あるいは前記本体制御回路（ボックス）９に、何らかの理由で異常電流が流れた場合に、前記ヒューズ９８またはヒューズ９９が融断ずることにより、前記遊技制御回路（ボックス）９′並びに前記本体制御回路（ボックス）９を保護すると共に、前記ヒューズ９８，９９の交換を前記中継基板８５上でおこなうことができ、安全であると共に効率よく作業が実施できる。即ち、従来のように電源ケーブルの途中にヒューズを設けていないので、ヒューズの交換のためにケーブルを引き出したり、垂れ下がって支持を失った状態でヒューズの交換を行う必要がない。
　【００２８】
　また、図示の実施形態では、前記中継基板８５上に、前記各々のヒューズが切れたことを可視表示するヒューズ切れ表示手段を設けている。このヒューズ切れ表示手段は、例えば前記各々のヒューズ９８、９９に夫々電気的に並列に接続された抵抗器及びＬＥＤ（発光ダイオード）から成るヒューズ切れ表示灯９６、９６′により構成する。そして、ヒューズ９８、９９が切れた際には、ヒューズ切れ表示灯９６、９６′が点灯してヒューズ切れを可視表示する。従って、点検等の際には、中継基板８５を注目するのみで、各制御回路の電源系の異常が容易に発見可能となり、保守管理を容易に行える。
　【００２９】
　更に、前記中継基板８５上に、前記ヒューズ９８と電気的に直列に接続した前記遊技制御回路（ボックス）９′用のオンオフ切換のメインスイッチ（トグルスイッチ）１０１が配設されている。これにより、前記遊技制御回路（ボックス）９′のオンオフは、前記中継基板８５上でおこなえるようになる。従って、遊技制御回路（ボックス）９′に対する給電を適宜に停止することができ、給電中に当該遊技制御回路（ボックス）９′を取り外して破損させることもない。また、遊技制御回路或は遊技盤に配設した図柄表示装置等が暴走した場合には、上記メインスイッチ１０１を一旦オフすることにより、容易に電源を落して初期状態に戻すことができる。
　【００３０】
　なお、前記中継基板８５上に、前記ヒューズ９９と電気的に直列に接続した前記本体遊技制御回路（ボックス）９用のオンオフ切換のメインスイッチを設けてもよく、この二つのメインスイッチは連動型のスイッチでもよい。
　【００３１】
　本発明は、前記中継基板８５上に、前記本体電源端子８７（ＡＣ２４Ｖ）に誤って、例えば、ＡＣ１００Ｖの電源コネクタを繋いでも前記遊技制御回路（ボックス）９′及び前記本体制御回路（ボックス）９が破壊されないように遊技制御回路（ボックス）９′及び前記本体制御回路（ボックス）９への分電を制限する過電圧防止回路１００を配設したものである。また、異常電圧が印加されると異常検出表示灯９７が点灯して異常を報知するように構成している。
　【００３２】
　このため、本体電源端子８７にＡＣ１００Ｖが印加されても、過電圧防止回路１００により、遊技制御回路及び本体制御回路が保護される。また、異常電圧が印加されていることが、異常検出表示灯９７によって目視され、直ちに正しい処置を行うことができる。
　【００３３】
　以上、本発明を図面の実施例について説明したが、本発明は上記した実施形態に限定されるものではなく、特許請求の範囲に記載した構成を変更しない限り適宜に実施できる。
　【００３４】
　【発明の効果】
　以上のように本発明は、パチンコ機本体の背面側に、
賞球制御装置により賞球を払い出す
該本体制御回路と信号線によって接続され、各入賞口に対応した賞球数を表す賞球数信号を発生する
を機構枠体に開設した開口窓に臨む中継基板に設けるとともに
を前記機構枠体の中継基板取付部に止着された中継基板に設け、前記開口窓に臨んで設けられた中継基板と、前記中継基板取付部に止着された中継基板とが設けられた機構枠体上に、パチンコ機から外部へ出力される各種の外部出力情報を中継するデータ出力端子を前記遊技盤側データ出力端子とパチンコ機本体側データ出力端子とに視認可能に分けた
【図面の簡単な説明】
　【図１】
　パチンコ機の概略背面図である。
　【図２】
　図１の部分拡大図である。
　【図３】
　図２の平面図である。
　【図４】
　図２の側面図である。
　【図５】
　図４の断面図である。
　【図６】
　図２の詳細図である。
　【図７】
　図２のＡ−Ａ線断面図である。
　【図８】
　図２の部分背面図である。
　【符号の説明】
１　パチンコ機
２ａ　遊技盤
９　本体制御回路（ボックス）
９′　遊技制御回路（ボックス）
９′ａ　遊技盤側データ出力端子
９′ｂ　遊技盤側用の中継基板
１７　開口窓
８５　本体側用の中継基板
８７　本体電源端子
９０　本体側データ出力端子
９１　本体端子
９２　接続端子
９４　遊技制御回路電源端子
９５　本体制御回路電源端子
９６、９６′　ヒューズ切れ表示灯
９７　異常検出表示灯
９８、９９　ヒューズ
１００　過電圧防止回路
１０１　メインスイッチ